(57)【要約】【課題】  フードを備えた機器であってそのフードを展開するにあたって煩雑な操作を必要としない機器を提供すること。【解決手段】  捩りバネ１０２ａによりバネ付勢されているフード１０に操作用部材１３を係合させることによりフード１０を収納状態に保持する。その操作用部材１３が操作されて操作用部材１３とフード１０との係合が解かれたら、フード１０が捩りバネ１０２ａのバネ付勢により展開状態に展開される。また操作用部材１３が操作されたときに電源スイッチ１０４が切り換えられて電源からの電力が表示画面１１に供給される。【選択図】    図３
2005215585.tif 000002
【特許請求の範囲】
【請求項１】
本体表面に表示画面を備えた機器において、
前記表示画面に重なった収納状態と該表示画面から開いた展開状態との間で姿勢変更自在に前記本体に支持され、該展開状態にあるときに前記表示画面を露出させるとともに該表示画面の庇として作用するフードと、
前記表示画面を表示させるための電力を供給する電源と、
前記電源からの電力の供給と遮断とを切り換える電源スイッチと、
前記収納状態にある前記フードに係合して該フードを該収納状態に保持するとともに、操作に応じて該フードとの係合を解くとともに前記電源スイッチを前記電源からの電力の供給側に切り換える操作用部材と、
前記フードと前記操作用部材との係合が解かれたことを受けて該フードの姿勢を前記展開状態に変更させる展開手段とを備えたことを特徴とする機器。
【請求項２】
前記操作用部材は、前記収納状態にある前記フードに係合する方向にバネ付勢されたものであり、該操作用部材がバネ付勢に抗して操作されることにより、該フードとの係合を解くとともに前記電源スイッチを切り換えるものであることを特徴とする請求項１記載の機器。
【請求項３】
本体表面に表示画面を備えた機器において、
前記表示画面に重なった収納状態と該表示画面から開いた展開状態との間で姿勢変更自在に前記本体に支持され、該展開状態にあるときに前記表示画面を露出させるとともに該表示画面の庇として作用するフードと、
前記フードが収納状態にあるときにユーザの個人認証を行なうことによりこの機器の使用可否を判定する認証手段と、
前記認証手段によりこの機器の使用が許可されたことを受けて前記フードの姿勢を前記収納状態から前記展開状態に変更させる展開手段とを備えたことを特徴とする機器。
【請求項４】
前記表示画面を表示させるための電力を供給する電源と、
該電源からの電力の供給と遮断とを切り換える電力供給制御手段とを備え、
前記電力供給制御手段が、前記認証手段により機器の使用が許可されたことを受けて該電源から電力を供給させるものであることを特徴とする請求項３記載の機器。
【発明の詳細な説明】
【技術分野】
【０００１】
本体表面に表示画面を備えた機器に関する。
【背景技術】
【０００２】
機器の中には本体表面に表示画面を備えたものが多い。このような機器には携帯用のものもあり、外出先でこの機器を使用するときに日中陽射しによって表示画面が見にくくなることがあるため、表示画面の庇として作用するフードがアクセサリとして配備されている機器もある。
【０００３】
このようなフードは通常本体に着脱自在に構成されたものが多く、携帯機器と一緒にその着脱自在なフードを携帯して必要なときに本体に装着して使用される（例えば特許文献１、２参照）。しかし、フードを必要なときに本体に装着したり、本体から離脱させたりするのは、着脱機構がいくら簡単な構造になっていてもやはり面倒くさい。
【０００４】
また、収納状態にあるフードを展開状態にユーザに回動させたときに電源が自動的に投入される機能などを付加してフードの操作性を向上させたものが提案されている（例えば特許文献３参照）。しかし、このようにフードの操作に伴い電源が自動的に投入されるようにして操作性を向上させたとはいっても、フードを一々展開状態にまで手動で展開するとなると、操作性が悪いという印象をユーザに与え兼ねない。
【特許文献１】特開平１１−１５３９６２号公報
【特許文献２】特開２００２−３７４４４０号公報
【特許文献３】特開平８−４６８３５号公報
【発明の開示】
【発明が解決しようとする課題】
【０００５】
本発明は上記問題点を解決し、ユーザに、フードの姿勢を展開状態に変更させるにあたってフードの姿勢をわざわざ手動で展開状態に変更させなくても済む機器を提供することを目的とするものである。
【課題を解決するための手段】
【０００６】
上記目的を達成する本発明の第一の機器は、本体表面に表示画面を備えた機器であって、
上記表示画面に重なった収納状態とその表示画面から開いた展開状態との間で姿勢変更自在に上記本体に支持され、その展開状態にあるときに上記表示画面を露出させるとともにその表示画面の庇として作用するフードと、
上記表示画面を表示させるための電力を供給する電源と、
上記電源からの電力の供給と遮断とを切り換える電源スイッチと、
上記収納状態にある上記フードに係合してそのフードをその収納状態に保持するとともに、操作に応じてそのフードとの係合を解くとともに上記電源スイッチを上記電源からの電力の供給側に切り換える操作用部材と、
上記フードと上記操作用部材との係合が解かれたことを受けてそのフードの姿勢を上記展開状態に変更させる展開手段とを備えたことを特徴とする。
【０００７】
上記本発明の機器によれば、上記操作用部材を操作することでその操作用部材と上記フードとの係合が解かれて上記フードの姿勢が展開状態に変更される。このため、そのフードの姿勢を変更させるのにユーザにわざわざ煩雑な操作を行なわせる必要がなくなり、ユーザに１タッチ操作を行なわせることでフードの姿勢が自動的に展開状態になる機器が実現される。
【０００８】
ここで、上記操作用部材は、上記収納状態にある上記フードに係合する方向にバネ付勢されたものであり、その操作用部材がバネ付勢に抗して操作されることにより、そのフードとの係合を解くとともに上記電源スイッチを切り換えるものであることが好ましい。
【０００９】
上記操作用部材が操作されることで上記フードが展開されるとともに、上記電源スイッチが切り換えられ電源が投入される。このため、電源スイッチを投入しなくてもフードを展開する操作をユーザに行なわせることによって、この機器に、フードの展開と電源の投入という２つの動作が瞬時に行なわれる。つまり、手動でフードを展開する必要も、また手動で電源スイッチを投入する必要もなくなる。
【００１０】
また、上記目的を達成する本発明の第二の機器は、表示画面を本体表面に備えた機器であって、
上記表示画面に重なった収納状態とその表示画面から開いた展開状態との間で姿勢変更自在に上記本体に支持され、その展開状態にあるときに上記表示画面を露出させるとともにその表示画面の庇として作用するフードと、
上記フードが収納状態にあるときにユーザの個人認証を行なうことによりこの機器の使用可否を判定する認証手段と、
上記認証手段によりこの機器の使用が許可されたことを受けて、上記フードの姿勢を、上記収納状態から上記展開状態へ変更させる展開手段とを備えたことを特徴とする。
【００１１】
上記第一の機器が備える操作用部材を操作する代わりに上記認証手段により個人認証が行なれたことを受けて上記フードの姿勢を展開状態へ変更させても良い。その場合には上記認証手段によりこの機器の使用が許可されたことを受けて上記展開手段によりフードの姿勢が展開状態へ自動的に変更される。その結果、わざわざ手動でフードを操作する必要がない機器が実現され、さらにセキュリティ機能も備えた機器が実現される。
【００１２】
ここで、上記表示画面を表示させるための電力を供給する電源と、その電源からの電力の供給と遮断とを切り換える電力供給制御手段とを備え、
上記電力供給制御手段が、上記認証手段により機器の使用が許可されたことを受けて、その電源から電力を供給させるものであることが好ましい。
【００１３】
このように上記認証手段によりこの機器の使用が許可されたことを受けて上記展開手段に上記フードの姿勢を展開状態に変更させたときに上記電力供給制御手段の制御の基に上記電源からこの機器に電力を供給させると、上記フードの姿勢が展開状態になったときにこの機器の使用がすぐに開始され、使い勝手の良い機器が実現される。
【発明の効果】
【００１４】
以上、説明したように、フードを展開するにあたってフードをわざわざ手動で展開状態にしなくても済む機器が実現される。
【発明を実施するための最良の形態】
【００１５】
以下図面を参照して本発明の実施の形態を説明する。
【００１６】
図１、図２は、本発明の機器の一例にあたるデジタルカメラ１の外観を示す図である。
【００１７】
図１には３枚の板状部材からなるフード１０が展開状態にあるときのデジタルカメラ１の外観が示されており、図２にはその３枚の部材からなるフード１０が収納状態にあるときのデジタルカメラ１の外観が示されている。
【００１８】
図１と図２の紙面裏側には撮影レンズ（不図示）が配備されており、その撮影レンズで捉えた被写体がこのデジタルカメラ１内部に配備された固体撮像素子に結像されてその固体撮像素子で被写体を表わす画像データが生成される。その生成された画像データに基づく被写体が表示画面１１上に表示され、その表示画面１１がファインダ代わりに使用されてシャッタチャンスにレリーズ釦１２が操作され撮影が行なわれる。
【００１９】
本実施形態のデジタルカメラが備えるフード１０は、表示画面１１に重なった収納状態とその表示画面１１から開いた展開状態との間で姿勢変更自在に本体１ａに支持され、その展開状態（図１参照）にあるときには本体１ａ表面の表示画面１１を露出させるとともにその表示画面１１の庇として作用して、収納状態（図２参照）にあるときには、表示画面１１の保護用部材として作用する。
【００２０】
図１に示すように、フード１０が展開状態にあるときにはそのフード１０が表示画面１１の庇として作用して、表示画面１１上に表示されている被写体像などがユーザにはっきりと視認される。このようにしておくと、日中陽射しが強くても表示画面１１上で被写体をはっきりと視認することができ、シャッタチャンスを逃すことなく撮りたい被写体をいつでも撮影することができる。また、このデジタルカメラでの撮影が終了すると、フード１０が折り畳まれて収納状態になって図２に示す収納状態になる。
【００２１】
ここで図１、図２を参照してこのフード１０を備えたデジタルカメラ１の構成を簡単に説明する。
【００２２】
図２に示すフード１０を図２に示す収納状態から図１に示す展開状態に展開させると、３枚の部材からなるフード１０が、デジタルカメラ１が備える表示画面１１を露出させるとともに表示画面１１の庇として作用する。このデジタルカメラ１では図１に示す展開状態になると電源が投入されてこの機器が自動的に作動する構成になっており、フード１０の姿勢が展開状態に変更されたときに表示画面１１上に撮影レンズが捉える被写体が表示され撮影準備が整えられる。この後レリーズ釦１２が操作されるとそのレリーズ操作されたタイミングで撮影レンズが捉えた被写体を表わす画像データがメモリカードなどに記録される。
【００２３】
図１には３枚の部材からなるフード１０の部材それぞれが表示画面１１に重なった収納状態に折り畳み自在であることが矢印で示されている。この３枚の部材からなるフード１０は上方側にあるフード１０が折り畳まれれば側方側にあるフード１０も折り畳まれて本体１ａに重なった収納状態になるように構成されている。
【００２４】
また、この実施形態においては、図２に示す収納状態にあるときにフード１０が表示画面１１の表面と外部にある物との接触を断って表示画面の保護用部材として作用するようにもなっている。
【００２５】
図１、図２には表示画面の下方に操作用部材１３が示されており、その操作用部材１３が操作されると、フード１０の姿勢が展開状態に変更される。この収納状態から展開状態へフードの姿勢を変更する展開手段と操作用部材との係わりを、図３を参照して説明する。
【００２６】
図３は、図２の矢印で示す線に沿ってデジタルカメラ１の本体１ａを切断した断面を矢印で示す方向から見た矢視図である。この図３に示すフード１０は図１の上方側の部材のみを示すものであり、以下側方側と記載しない限り、フード１０はその上方側の部材を指すものとする。つまり、このフード１０の姿勢が変更されてフードが操作用部材１３に係合すると側方側の部材も折り畳まれて収納状態になり、このフード１０と操作用部材１３との係合が解かれると側方側の部材を含めたフードの姿勢が展開状態に変更される。
【００２７】
図３に示すフード１０の一端は本体１ａに回動自在に軸支されており、その本体１ａ側の軸１０２の回りに捩りバネ１０２ａが巻回されている。その捩りバネ１０２ａの一端はフード１０（図１の上方側にある部材のみ）に係合され、他端は本体に固定されているため、その捩りバネ１０２ａにフード１０が付勢されフード１０は通常展開状態になったままになる。そこで、このフードを収納状態にするために操作用部材１３をそのフード１０に係合させることにより捩りバネ１０２ａの付勢力をその操作用部材１３で抑えてフード１０を収納状態に保持している。
【００２８】
この図３には、収納状態にあるフード１０に係合する方向に圧縮バネに１０３よりバネ付勢された操作部材１３がフード１０に係合してフード１０を収納状態に保持する例が示されており、この操作用部材１３がバネ付勢に抗して操作されることにより、その操作用部材１３がフード１０との係合を解くとともに電源スイッチ１０４を切り換える。そうすると、図３に示す捩りバネ１０２ａにより図１の上方に示すフードの姿勢とともに側方側のフードの姿勢も一緒に変更される。このフードの姿勢が展開状態に変更されるときには操作用部材１３が電源スイッチ１０４を切り換え、不図示の電源からの電力が表示画面１１を有する表示ユニットに供給される。このようにするとフード１０が庇として作用するように姿勢が変更されて収納状態から展開状態になったときに被写体を表わす画像が表示画面１１上に即座に表示される。
【００２９】
また、このデジタルカメラでの撮影を終了してフード１０を図１に示す矢印の方向に折り畳むと、フード１０が操作用部材１３を押して圧縮バネを圧縮させる方向に操作用部材１３を移動させる。この操作用部材１３が移動しているときには、圧縮バネ１０３が圧縮されて付勢力が蓄えられ、フード１０が操作用部材１３を乗り越えたらその蓄えられた付勢力により操作用部材１３がバネ付勢されて素早くフード１０に係合して操作用部材１３がフード１０を収納状態に保持する。また、操作用部材１３がバネ部材１０３を圧縮する側に移動しているときに電源スイッチ１０４が遮断側に切り換えられて電源からの電力の供給が遮断されるようにもなっている。
【００３０】
以上説明したように、操作用部材１３を操作するだけでフード１０が展開状態に展開されるとともに操作用部材１３およびフード１０の操作に伴い電源スイッチ１０４が供給側、遮断側のいずれかに切り換えられる機器が実現される。
【００３１】
図４は、操作用部材の別例を示した図である。図４に示すようにくの字形のレバーとそのレバーの一端側を押す部材とからなる操作部材１３０を設けて、そのくの字のレバーの中央の揺動軸１１ａに捩りバネを巻回してくの字形のレバーをバネ付勢する構成にしても、図３と同様の効果が得られる。図４には、操作部材のくの字レバー１３０がフード１０に係合してフード１０の姿勢を収納状態に保持しているときに、くの字レバー１３０の一端が押されてくの字のレバー１３０の他端側が矢印の方向に回転すると、フード１０と操作部材１３０との係合が解かれてフード１０の姿勢が展開状態に変更され、くの字レバー１３０の一端が押されたときに電源スイッチ１０４が押されて電源スイッチ１０４が投入される構成が示されている。
【００３２】
図５、図６は、別の実施形態を示す図である。図１、図２に示すように、操作用部材１３を操作したときにフード１０が展開する構成ではなく、指紋センサ１４によりユーザの個人認証が行なわれこの機器の使用がその指紋センサを備える指紋検出装置に許可されたときにフード１０が展開される構成が示されている。この図５、図６に示す機器の構成は、指紋検出装置の指紋センサ１４が機器本体表面に付加されている以外、図１、図２の構成と同様である。
【００３３】
図７は、図６に示す本体１ａを図６に示す点線に沿って切断してその切断面を矢印の方向から見た矢視図に指紋検出装置を含む電気系統を書き加えた図である。図７からもわかるように、図１、図２に示した操作用部材１３が操作用部材としてではなく、スライド部材１３としてそのまま配備されている。このスライド部材１３はマグネット１３ａを端部に備えたものであって電磁コイル１１２が通電され電磁コイル１１２に磁力が発生するとその電磁コイル１１２にマグネット１３ａが引かれてマグネット１３ａとともにスライド部材１３が電磁コイル側にスライドする。このスライド部材１３は、収納状態にあるフード１０に係合する方向に圧縮バネ１０３によりバネ付勢されたものであり、電磁コイル１１２が通電したときには、このスライド部材１３がバネ付勢に抗して電磁コイル１１２側にスライドすることによりフード１０との係合を解くものである。この電磁コイル１１２への電力の供給と遮断とを切り換えるＤＣ／ＤＣコンバータが本発明にいう電力制御機器の一部にあたり、ＤＣ／ＤＣコンバータ１１１とそのＤＣ／ＤＣコンバータ１１１に指示を出すＣＰＵ１１０とで本発明にいう電力制御機器が構成される。
【００３４】
ここで、簡単に電気的な構成を説明する。
【００３５】
電磁コイル１１２の一端はＤＣ／ＤＣコンバータ１１１に接続され、他端がトランジスタ１１３のコレクタに接続されている。このトランジスタ１１３のエミッタはグランドに接続されており、ベースはＣＰＵ１１０に接続されている。またＤＣ／ＤＣコンバータ１１１は制御入力端子を備えたものであり、その制御入力端子にＣＰＵ１１０から制御信号が供給される構成になっている。また、ＣＰＵ１１０の入力部には指紋検出装置１１４からの指紋照合結果が供給されるようになっており、その照合結果がこの機器の使用を許可するものであった場合には、ＣＰＵ１１０はＤＣ／ＤＣコンバータ１１１に電磁コイル１１２への電力供給を指示するとともにトランジスタ１１３のベースにハイレベル信号を供給する。そうすると、電磁コイル１１２に電流が流れて電磁コイル１１２に磁界が発生してスライド部材１３側にＮ極またはＳ極の磁極が形成される。スライド部材１３のマグネットがＮ極、電磁コイル１１２の磁極がＳ極であったとすると、スライド部材１３が電磁コイル１１２側にスライドして、フード１０とスライド部材１３との係合が解かれてフード１０が捩りバネ１０２により展開状態に展開される。また、この係合が解かれたときにＣＰＵ１１０はＤＣ／ＤＣコンバータ１１１に表示画面を含む各部への電力の供給を行なわせている。
【００３６】
このようにすると、指紋検出装置１１４に登録されている人にだけこの機器の使用許可が与えられてこの機器が悪用されるといったことがなくなる。また第一の実施形態と同様の機能を持つ機器が実現され、さらに個人認証を認証手段に行なうことによりこの機器の使用が許可された人にだけこの機器が使用されるというセキュリティ機能が搭載された機器が実現される。
【００３７】
なお認証手段として本実施形態では指紋検出装置を例に挙げたが、暗証番号を有するカードなどであっても良い。
【図面の簡単な説明】
【００３８】
【図１】本発明の機器の一例にあたるデジタルカメラ１の外観を示す図であって、フードが展開状態にあるときの外観を示す図である。
【図２】図２のフードが収納状態にあるときの外観を示す図である。
【図３】図２の矢印で示す線に沿ってデジタルカメラ１の本体１ａを切断した断面を矢印で示す方向から見た矢視図である。
【図４】操作用部材の別例を示した図である。
【図５】本発明の機器の別の実施形態を示す図であって、フード２０が展開状態にあるときの外観を示す図である。
【図６】図５のフード２０が収納状態にあるときの外観を示す図である。
【図７】図６の矢印で示す線に沿ってデジタルカメラ２の本体２ａを切断した断面を矢印で示す方向から見た矢視図である。
【符号の説明】
【００３９】
１  デジタルカメラ
１ａ    本体
１０    フード
１０２    展開軸
１０２ａ    捩りバネ
１０３    バネ
１０４    電源スイッチ
１１    表示画面
１２    レリーズ釦
１３    操作用部材
１３ａ    マグネット
１３０  操作用部材（別例）
１４    指紋センサ
１１４    指紋検出装置
【図１】
2005215585.tif 000003
【図２】
2005215585.tif 000004
【図３】
2005215585.tif 000005
【図４】
2005215585.tif 000006
【図５】
2005215585.tif 000007
【図６】
2005215585.tif 000008
【図７】
2005215585.tif 000009